(57)【要約】      （修正有）【課題】ガスシリンダで支持された座を高さ調節するための昇降用レバーにおいて、操作性を向上させる。【解決手段】昇降用レバーは座２の前部の下方に配置された左右長手の引手部を備えている。座２の前部の下面は正面視で下向き凸状に緩く湾曲している一方、引手部は、座２の前部の下面の湾曲形状に倣うように上向きに凹状に反った正面形状に形成している。引手部と座２との隙間間隔が左右各部位において略同じになるため、引手部に指が届かなくなるような不具合や、引手部を強く引き過ぎる不具合を防止できる。【選択図】図１
2006212152.tif 000002
【特許請求の範囲】
【請求項１】
脚柱を構成すると共に上端面からロック解除用のプッシュバルブを突出させたガスシリンダと、前記ガスシリンダの上端部に取付けた座受けベースと、前記座受けベースの上方に配置した座と、前記ガスシリンダのプッシュバルブを下向きに押し操作するための昇降用レバーと、着座した人がもたれ掛かり得る背もたれとを備えている椅子であって、
前記座の前部の下面は、着座した人と対向した正面視において下向き凸状に緩く湾曲した形状に形成されている一方、
前記昇降用レバーは、座の前部の下面に反って左右方向に長く延びる引手部と、この引手部の引き上げ動にて前記ガスシリンダのプッシュバルブが下向きに押されるように正面視で左右長手の軸心回りに回動し得る回動部とを備えており、前記引手部を、前記座の前部の正面視の湾曲形状に倣うように上向き凹状に反った正面視形状に形成している、
椅子。
【請求項２】
前記昇降用レバーにおける引手部の下面を下向き凹状となるように窪ませているか、或いは、引手部を板状に形成して側面視で前傾姿勢となるように傾斜させている、
請求項１に記載した椅子。
【請求項３】
前記昇降用レバーの引手部は合成樹脂である一方、
前記昇降用レバーの回動部は金属製であり、この回動部は、ガスシリンダのプッシュバルブを押す押圧部と、この押圧部の手前側に位置した回動軸部と、回動軸部の左右両端から引手部の左右端部に向けて枝別れ状に延びる左右一対の連結部とから成っており、前記連結部に前記引手部を固定している、
請求項１又は２に記載した椅子。
【請求項４】
脚柱を構成すると共に上端面からロック解除用のプッシュバルブを突出させたガスシリンダと、前記ガスシリンダの上端部に取付けた座受けベースと、前記座受けベースの上方に配置した座と、前記ガスシリンダのプッシュバルブを下向きに押し操作するための昇降用レバーと、着座した人がもたれ掛かり得る背もたれとを備えており、
前記昇降用レバーは、座の前部の下方に配置された左右長手の引手部と、この引手部を上向きに引くと前記ガスシリンダのプッシュバルブが下向きに押されるように左右長手の軸心回りに回動し得る回動部とを備えている椅子であって、
前記回動部は、ガスシリンダのプッシュバルブを下向きに押すための押圧部と、この押圧部の手前側に位置した左右長手の回動軸部と、回動軸部から引手部に向けて延びる連結部とを備えており、前記引手部を連結部に一体に形成しているか、又は、引手部を連結部とは別体の構成にしている、
椅子。
【発明の詳細な説明】
【技術分野】
【０００１】
本願発明は、脚柱にガスシリンダを使用している椅子に関するものである。
【背景技術】
【０００２】
椅子において、座の高さを任意に調節できるように脚柱としてガスシリンダを使用することは広く行われている。そして、脚柱にガスシリンダを使用した椅子では、ガスシリンダを伸縮不能なロック状態から伸縮可能なフリー状態に切り換えるための昇降用レバーが必要である。
【０００３】
ガスシリンダをロック状態からフリー状態に切り換えることは、ガスシリンダの上端面から突出しているプッシュバルブを押し操作することによって行われる。そこで、昇降用レバーは、プッシュバルブの押し下げ動を行う回動部と、この回動部に設けた引手部とを備えており、引手部を引き上げることによってプッシュバルブが押されるようになっている。
【０００４】
そして、引手部は一般にヒレ状に形成されていることが多く、この場合は、座の左側部下方か右側部下方に配置している。しかし、これでは、引手部の操作箇所はごく狭いエリアに限られるため、操作性が悪い場合があった。
【０００５】
他方、特許文献１では、引手部を座の前部の下方に配置すると共に左右に長い形状に形成することが開示されている。すなわち、特許文献１の昇降用レバーは丸パイプ製であり、平面視で前後方向に延びる回動部の後端より部位を細いピンで支持部材に軸支し、この回動部の前端に丸パイプ製の引手部を溶接によって固着している。
【特許文献１】実用新案登録３０１３６０２号公報
【発明の開示】
【発明が解決しようとする課題】
【０００６】
事務用等の背もたれ付き回転椅子の座は一般に平面視で略四角形に形成されており、かつ、各コーナー部には大きな丸みを持たせている。そして、前記特許文献１によると、昇降用レバーの引手部は座の前部の下方に長く延びているため、座の手前側や前部の左右コーナー部の側から引手部に指を掛けることができ、このため、昇降用レバーを操作しやすい。
【０００７】
ところで、座の高さ調節を行うに際しては、人はやや腰を浮かせて、手の平のうち手首寄りの部分を座の縁に当てて指先を引手部に掛けるのが普通である。手の平を座の縁に当てるのは、手首の安定性を確保すると共に、引手部に対して力をしっかりと掛けるためである。
【０００８】
他方、例えば事務用等の背もたれ付き回転椅子の座における前部の下面に正面視で下向き凹状に緩く湾曲しているのが一般的である。これは、座の上面を人の臀部や大腿部のプロフィールに合わせて正面視上向き凹状に緩く湾曲させている（窪ませている）ことや、座板（座のインナーシェル）が下方に沈むように撓み変形することを許容させていることに起因している。
【０００９】
しかして、特許文献１における昇降用レバーの引手部は正面視で左右方向に一直線に延びる形状であるため、座の前部の下面が下向き凸状に緩く湾曲している椅子に適用すると、座の下面と引手部との上下間隔は、座の前端部のうち左右中間部において最も小さくて引手部の左右端部に行くに従って間隔が広がることになる。
【００１０】
このため、座のコーナー部の付近では人の指が引手部に届かなくなったり、引っ掛かりが弱くなったりする虞れがある。すなわち、せっかく引手部を左右方向に長い形状にしながら、操作できないか操作しにくい状況が現れる虞れがある。換言すると、引手部を左右に長い形状にしたことの意義が没却されてしまう虞があった。また、人が引手部を操作するに際して指を曲げる程度は概ね一定であるが、引手部と座との間隔が広いと指は伸ばし気味の状態から曲げることになるため、引手部を過度に強く引き過ぎて不快に感じることもあった。
【００１１】
さて、引手部を座の前部下方に配置すると、昇降用レバーの回動軸心は椅子の正面視で左右方向に延びることになるが、人が引手部に指を掛ける部分が左右中間位置から外れると、回動部には正面視で前後方向に延びる軸線回りにねじるような外力が作用することになり、この外力は指を掛ける部分が引手部の左右端部に行くほど顕著に現れる。
【００１２】
そして、昇降用レバーの回動軸心は椅子の正面視で左右方向に延びているため、前記したねじり作用は、昇降用レバーの操作に際して回動部の取付け箇所のこじれとなって現れる。そして、特許文献１では、丸パイプから成る回動部の後端寄り部位が細いピンで取付けられているに過ぎないため、引手部の引き上げ操作によるねじれ力がピンの取付け箇所に集中して作用し、このため、スムースな操作が損なわれる虞があった。
【００１３】
本願発明は、このような現状を改善することを課題とするものである。
【課題を解決するための手段】
【００１４】
本願発明の椅子は、基本構成として、脚柱を構成すると共に上端面からロック解除用のプッシュバルブを突出させたガスシリンダと、前記ガスシリンダの上端部に取付けた座受けベースと、前記座受けベースの上方に配置した座と、前記ガスシリンダのプッシュバルブを下向きに押し操作するための昇降用レバーと、着座した人がもたれ掛かり得る背もたれとを備えている。
【００１５】
そして、請求項１の発明では、前記座の前部の下面は、着座した人と対向した正面視において下向き凸状に緩く湾曲した形状に形成されている一方、前記昇降用レバーは、座の前部の下面に反って左右方向に長く延びる引手部（指掛け部と呼んでもよい）と、この引手部の引き上げ動にて前記ガスシリンダのプッシュバルブが下向きに押されるように正面視で左右長手の軸心回りに回動し得る回動部とを備えており、前記引手部を、前記座の前部の正面視の湾曲形状に倣うように上向き凹状に反った正面視形状に形成している。
【００１６】
請求項２の発明では、請求項１において、前記昇降用レバーにおける引手部の下面を下向き凹状となるように窪ませているか、或いは、引手部を板状に形成して側面視で前傾姿勢となるように傾斜させている。
【００１７】
請求項３の発明では、請求項１又は２において、前記昇降用レバーの引手部は合成樹脂である一方、前記昇降用レバーの回動部は金属製であり、この回動部は、ガスシリンダのプッシュバルブを押す押圧部と、この押圧部の手前側に位置した回動軸部と、回動軸部の左右両端から引手部の左右端部に向けて枝別れ状に延びる左右一対の連結部とから成っており、前記連結部に前記引手部を固定している。
【００１８】
請求項４の発明に係る椅子は、請求項１と同じ基本構成であり、前記昇降用レバーは、座の前部の下方に配置された左右長手の引手部と、この引手部を上向きに引くと前記ガスシリンダのプッシュバルブが下向きに押されるように左右長手の軸心回りに回動し得る回動部とを備えている。
【００１９】
そして、前記回動部は、ガスシリンダのプッシュバルブを下向きに押すための押圧部と、この押圧部の手前側に位置した左右長手の回動軸部と、回動軸部から引手部に向けて延びる連結部とを備えており、前記引手部を連結部に一体に形成しているか、又は、引手部を連結部とは別体の構成にしている。
【発明の効果】
【００２０】
請求項１のように構成すると、座の前部の下面を正面視で下向き凸状に緩く湾曲させた椅子において、引手部と座との上下間隔が左右方向に沿っていずれの部分でも略同じになる。すなわち、昇降用レバーの引手部が座の下面の湾曲に倣うよう（反うように）に上向き凹状（或いは下向き凸状）に緩く反っていることにより、引手部はその左右左右端部においても座の前部下面との間隔が過度に広がることはないため、着座した人は手首に近い部分を座の縁に当てつつ指を引手部に確実に届かせることができるのである。
【００２１】
従って、着座した人は、手の一部を座の縁に当てた状態で、引手部のどの部分に対しても指を掛けることができるのであり、これにより、引手部を左右長手の形状にしたことの意義が全うされる。すなわち、引手部は左右全長にわたってどの部位においても引き操作することができて、操作性の向上を担保できるのである。
【００２２】
また、座と引手部との間隔が引手部の左右全長にわたって略同じであることにより、人が引手部を引き操作するに際しての指を曲げる程度は略一定しているため、強く引き過ぎて不快な思いをするようなことはない。よって、ユーザーフレンドリーである。
【００２３】
ところで、特許文献１のように引手部を丸パイプで構成すると、引手部を引くには当該引手部に指の第１関節と第２関節との間の部分を掛けることになり、すると、引手部はなるべく手前側に配置せざるを得ない。すると、引手部が他のものに当たる確率も高くなり、また、人が膝下を下方において後側に入り込ませたときにふくらはぎが引手部が当たる可能性がある。
【００２４】
これに対して請求項２のように構成すると、引手部に対する指の引っ掛かりが良くなるため、引手部はこれに指先を当てた状態で引き操作を行うことができる。このため、引手部を座の下方のできるだけ奥に配置することが可能になり、その結果、引手部に物が当たることや着座した人のふくらはぎが引手部に当たるような不具合を防止又は著しく軽減できる。
【００２５】
また、座の前後位置を調節できる椅子が存在するが、この場合、ガスシリンダの位置は固定されているので昇降用レバーの位置も一定になるため、座と昇降用レバーとの相対的な前後位置が変化することになる。そして、座を手前に引くと昇降用レバーの引手部は相対的に奥に位置することになるが、請求項２では引手部が奥にあっても指を引っ掛け易いため、昇降用レバーの操作性を損なうことなく座の前後位置を調節できる。この点も請求項２の利点である。
【００２６】
請求項３のように構成すると、回動部の回動軸部と連結部と引手部とが全体として環状（ループ状）のフレーム構造になるため、引手部の左右端部に指を掛けて引いた場合に回動軸部にねじり力が作用することを著しく抑制することができる。すなわち、回動軸部の箇所にこじれが生じることを著しく抑制することができる。このため、昇降用レバーのどの部分に指を掛けてもスムースに操作することができる。
【００２７】
請求項４のように構成すると、回動軸部が左右方向に長く延びているため、引手部の端部に指を掛けて引いた場合であっても、回動軸部の箇所にこじれが生じることは殆どなくなる。このため、引手部のどの部分に指を掛けてもスムースに操作することができる。すなわち、引手部を左右に長い形状に形成した昇降用レバーにおいて、スムースな操作を担保できるのである。
【発明を実施するための最良の形態】
【００２８】
(1).概要
次に、本願発明の実施形態を図面に基づいて説明する。まず、図１〜図３に基づいて概要を説明する。図１は椅子の正面図、図２のうち（Ａ）は平面図、（Ｂ）は左側面図、図３は底面図である。
【００２９】
これらの図から理解できるように、椅子は、脚１と座２と背もたれ３、左右一対の肘掛け装置４とを備えている。なお、肘掛け装置４は左右一対あるが、図面では片方しか表示していない。脚１は、脚柱を構成するガスシリンダ５と、ガスシリンダ５から放射状に延びる複数本（５本）の枝足６とを備えており、各枝足６の先端にはキャスター７を設けている。ガスシリンダ５は外筒とこれに上下摺動可能及び回転自在に嵌まった内筒とを備えており、本実施形態では、外筒を固定筒５ａとして内筒を昇降筒５ｂとしている。
【００３０】
ガスシリンダ５における昇降筒５ｂの上端部には座受けベース８が取付けられており、この座受けベース８の上面に、座２の一部を構成するアウターシェル９が取付けられている。アウターシェル９は座受けベース８の前方にはみ出るように配置されている。座受けベース８の左側面からは、背もたれ３を後傾動可能な状態と後傾動不能な状態とに切り換えるためのロックレバー１０が露出しており、また、座受けベース８の前面からは、座２の高さ調節を行うための昇降用レバー１１が露出している。
【００３１】
ロックレバー１０はグリップ１０ａを備えている。また、昇降用レバー１１は、座２の前部の下面に沿って左右方向に長く延びる引手部１２と、これが取付いた回動部１３とを備えており、引手部１２を上向きに引くと、脚柱５を構成するガスシリンダは伸縮可能（昇降可能）なフリー状態になる。昇降用レバー１１に詳細は後述する。
【００３２】
背もたれ３は、その主要メンバーである合成樹脂製の背板１４を備えており、この背板１４の前面に、上下に分離したクッション体１８，１９を着脱自在に配置している（クッション体１８，１９を取り付けずに使用することもできる）。背板１４の上端には、衣服を掛けることのできるハンガー２０がねじ止めによって着脱自在に取付けられている。
【００３３】
(2).座受け部の詳細
次に、図４以下の図面も参照して座受け部の詳細を説明する。図４は各種部材の分離斜視図、図５は座受けベース８の斜視図、図６は座受けベース８の平面図、図７のうち（Ａ）は背もたれ３を取付けるための部材の斜視図、（Ｂ）は昇降用レバー１１の分離斜視図、図８のうち（Ａ）は椅子の部分的な縦断側面図、（Ｂ）は（Ａ）の部分拡大図、図９は主要部材を分離した状態での縦断側面図である。
【００３４】
本実施形態の座受けベース８は、アルミダイカストのような金属又は樹脂の成形品で上向きに開口した形状になっている。他方、図８に示すように、座２は、合成樹脂製のインナーシェル（座板）２２にウレタン等のクッション材２３を張った構造になっている。インナーシェル２２はアウターシェル９に取り外し可能に装着されており、アウターシェル９は座受けベース８に、例えば３段階で前後位置調節可能に取り付けられている（勿論、前後位置調節不能でもよい。）。
【００３５】
図８に示すように、座受けベース８には、ガスシリンダ５における昇降筒５ｂの上端部が下方から嵌着している。ガスシリンダ５の昇降筒５ａは、その上面から突出したプッシュバルブ２４を備えており、昇降用レバー１１の引手部１２を上向き回動操作してプッシュバルブ２４を下方に押すと、ロックが解除されて座２の高さ調節を行うことができる。
【００３６】
背もたれ３は、図４に全体を示す背受けフレーム２５と、図８に一部のみを示すばねユニット２６とによって座受けベース８に取付けられている。図４（Ａ）に示すように、背受けフレーム２５は、丸パイプ（丸棒でも良い）を折り曲げて形成した平面視略Ｕ文字状のフロントメンバー２７と、フロントメンバー２７の後端部に溶接によって固着した中間金具２８と、中間金具２８に溶接によって固定された左右一対のリアメンバー２９とを備えており、リアメンバー２９に背板１４が取付けられている。
【００３７】
背受けフレーム２５のリアメンバー２９は金属の丸パイプ製又は丸棒製であり、背板１４の下部の前面縁に重なるように形成されており、かつ、左右両端には支柱部２９ａが形成されている。また、支柱部２９ａには、先端に向けて細くなっている段違い状のロッド３０を嵌め込んでいる。そして、リアメンバー２９の支柱部２９ａとロッド３０とを背板１４に設けた穴に下方から挿入することにより、背板１４が背受けフレーム２５に固定されている。
【００３８】
背受けフレーム２５におけるフロントメンバー２７の左右長手の前端部は回動軸２７ａになっており、この回動軸２７ａが座受けベース８に回転可能に取付けられている。具体的には、図４及び図８に示すように、座受けベース８の内部に、回動軸２７ａに下方から重なる下軸受け３２と上方から重なる上軸受け３３とを重ねて配置し、両軸受け３２，３３を押さえ部材３４によって離脱不能に保持している。背もたれ３及び背受けフレーム２５の後傾動はばねユニット２６によって弾性的に支持されている。なお、ばねユニット２６についての説明は省略する。
【００３９】
上下の軸受け３２，３３は座受けベース８に形成されたリブによって前後左右にずれ不能に保持されており、また、押さえ部材３４は、座受けベース８に形成したボス部３５の上面にビス３６で固定されている。上下の軸受け３２，３３はずれないように互いに嵌まり合っている。図６では、座受けベース８のうち下軸受け３２が嵌まるエリア３７を平行斜線で表示している。
【００４０】
図４に概略を示すように、座受けベース８の後部には、左右両側に上下長手のガイド部を有する樹脂製のガイド部材３８が上方から差し込み装着されている。背受けフレーム２５は、前記したガイド部材３８により、左右ずれ不能に保持されている。
【００４１】
また、図８（Ａ）に部分的に示すように、背受けフレーム２５を構成するフロントメンバー２７は、座受けベース８にビス止めされた左右長手のステー３９により、上向き回動が阻止されている。この場合、ステー３９の下面に前記樹脂製ガイド部材３８を重ねることにより、フロントメンバー２７が戻り回動した時の衝撃や騒音発生を防止している。
【００４２】
前記ロックレバー１０は座受けベース８に回転自在に保持されており、図４及び図８に示すように、ロックレバー１０には、座受けベース８の内部に位置した左右一対のロック部材４０が相対回転不能に取付けられている。ロック部材４０は背受けフレーム２５におけるフロントメンバー２７の前後長手部の下方に位置しており、ロックレバー１０の回転軸１２を回転させてロック部材４０を上向きの姿勢と横向きの姿勢とに変えることにより、背受けフレーム２５が回動可能状態と回動不能状態とに切り換えられる。
【００４３】
図５に示すように、左右ロック部材４０の下方には、座受けベース８の底部にずれ不能に配置された受け部材４１を配置している。なお、図６では、座受けベース８のうち受け部材４１がずれ不能に嵌まるエリア４２を平行斜線で示している。
【００４４】
(3).昇降用レバー
次に、昇降用レバー１１について説明する。昇降用レバー１１の引手部１２は合成樹脂製であり、座２を構成するアウターシェル９の前部の下面に沿って左右方向に長く延びている。引手部１２の左右長さは、座３の前部の左右長さよりも若干短い寸法であり、着座した人は、座２の左右側部の前部（コーナー部の近く）においても引手部１２に指を掛けることができる。
【００４５】
図１に示すように、座２を構成するアウターシェル９の前後の下面は正面視で下向きに凸状に緩く湾曲している。そして、引手部１２は全体として板状（シェル状）であるが、正面視での形状は、座２におけるアウターシェル９の前部の下面の正面形状に倣わせて下向き凸状（上向き凹状）に緩く湾曲している。従って、引手部１２とアウターシェル９との上下間隔Ｅは、引手部１２の左右各部位において略同じになっている。
【００４６】
引手部１２の平面視形状（或いは底面視形状）は図３及び図７（Ｂ）に示されている。すなわち、引手部１２の前面は前向き凸状に緩く湾曲しており、左右端部は丸みを帯びており、かつ、後端部には、座受けベース８の横幅よりも大きい左右巾寸法の切欠き１２ｃが後向きに開口するように形成されている。
【００４７】
座２の前端部は平面視で前向き凸状のカーブを描いているが（湾曲しているが）、引手部１２の前面の湾曲の程度（曲率）が座２の湾曲の程度よりも大きくなっている。従って、引手部１２は、その左右中間部から左右両端部に行くに従って座２の前端よりも奥に入り込んでいる。これは、座２の左右両端寄り部位には着座した人の大腿部が位置していて、この部位において引手部１２を操作することは殆ど無いからである。
【００４８】
図８（Ａ）に示すように、引手部１２のうち人の指が当たる部分は板状でかつ、側断面視において下向き凹状にごく緩い曲率で湾曲している。或いは、下向きに湾曲しつつ緩い角度で前傾しているといっても良い。このため、指先を引手部１２の下面に当てるだけで引手部１２を上向きに引っ張り操作することができる。
【００４９】
回動部１３は金属製であり、例えば図７（Ｂ）に示すように、ガスシリンダ５のプッシュバルブ２４を押す押圧部１３ａと、この押圧部１３ａの手前側に位置した回動軸部１３ｂと、回動軸部１３ｂの左右両端から引手部１２の左右端部に向けて枝別れ状に延びる左右一対の連結軸部１３ｃとを備えており、連結部１３ｃには、引手部１２の下面に重なって相対向する方向に延びる延長部１３ｄが一体に形成されている。引手部１２の下面には、連結部１３ｃの先端部と延長部１３ｄとを抱き込む抱持部１２ａが形成されている。
【００５０】
回動軸部１３ｂと連結部１３ｃとは１本の線材を曲げることによって形成されており、連結部１３ｃと延長部１３ｄとが連設した屈曲部がキャップ４４を介してビス４５によって引手部１２に固定されている。回動部１３のうち曲がった部分が引手部１２に押さえ固定されているため、引手部１２は安定性よく回動部１３に固定されている。
【００５１】
連結部１３ｃのうち回動軸部１３ｂに連続した部分は、左右間隔が同じの平行部１３ｃ′になっている一方、座受けベース８の前面板には、前記平行部１３ｃ′が遊嵌する上向き開口溝４６が形成されている。
【００５２】
回動部１３の押圧部１３ａは金属板であり、前後長手で上向きに開口した樋状に形成されており、その前端部が回動軸部１３ｂの左右中間部に溶接されている。また、押圧部１３ａの前端には、座受けベース８に形成したリブ４７に当接する下向きの足片１３ａ′を形成している。
【００５３】
前記背受けフレーム２５に対する下軸受け３２には、回動部１３の押圧部１３ａをすっぽり覆う下向きに開口の空所４８が形成されており、かつ、左右の側板３２ａには、回動部１３の回動軸部１３ｂに嵌まる側面視下向き開口Ｕ形の軸受け溝４９が形成されている。
【００５４】
すなわち、背受けフレーム２５の後傾動を支持するための下軸受け３２は、昇降用レバー１１の回動軸部１３ｂに対する軸受けを兼用している。このため、部材点数を減らしてコストを抑制できる。また、下軸受け３２の空所４８の上底面は、押圧部１３ａの上向き回動姿勢を規制する規制面（ストッパー面）になっている。
【００５５】
本実施形態では、回動部１３の回動軸部１３ｂが左右方向に長く延びていることと、連結部１３ｃがが回動軸部１３ｂの左右両端から延びていることとにより、引手部１２の左右端部を上向きに引いても回動軸部１３ｂと下軸受け３２との接触面にこじれが生じることは殆どない。このため、引手部１２のどの部分に指を掛けても昇降用レバー１１をスムースに操作することができる。回動軸部１３ｂの左右長さは少なくとも３０ｍｍ程度あれば、こじれなく回動操作できると言える。
【００５６】
また、下軸受け３２には、昇降用レバー１１における押圧部１３ａの前端部が僅かに入り込む切欠き部５０が形成されており、この切欠き５０によって昇降用レバー１１の左右位置が規制されているが、下軸受け３２は合成樹脂製であるため、昇降用レバー１１を回動操作するに際してこすれ音の発生を防止できる。なお、図７（Ｂ）に一点鎖線で示すように、引手部１２の左右両端部に後向き延長部１２ｂを設けることも可能である。回動軸部１３ｂの左右長さが長くてこじれなく回動させうるため、引手部１２に後向き延長部１２ｂを設けることが可能になる。
【００５７】
(4).その他
本願発明は更に様々に具体化することができる。例えば昇降用レバーの全体を樹脂で一体成形したり、或いは、全体を板金加工によって構成することも可能である。また、引手部及び回動部の形態は実施形態に限定されるものではなく、本願発明の意図している機能を発揮する限り、自由に変更できる。回動部を座受けベース等に回動自在に取付ける取付け手段としては、例えばピンで取付けることも可能である。
【図面の簡単な説明】
【００５８】
【図１】本願発明を適用した椅子の正面図である。
【図２】椅子の平面図と左側面図である。
【図３】椅子の底面図である。
【図４】座受けベースの周辺の部材の分離斜視図である。
【図５】座受けベースの斜視図である。
【図６】座受けベースの平面図である。
【図７】(A)は背受けフレームの取付け構造を示す分離斜視図、 (B)は昇降用レバーの分離斜視図である。
【図８】(A)は座受け部の縦断側面図、 (B)は (A)の部分拡大図である。
【図９】昇降用レバーの取付け構造を示す分離側断面図である。
【符号の説明】
【００５９】
２  座
５  ガスシリンダ（脚柱）
５ｂ  昇降筒
１１  昇降用レバー
１２  引手部
１３  回動部
１３ａ  押圧部
１３ｂ  回動軸部
１３ｃ  連結部
３２  下軸受け
【図１】
2006212152.tif 000003
【図２】
2006212152.tif 000004
【図３】
2006212152.tif 000005
【図４】
2006212152.tif 000006
【図５】
2006212152.tif 000007
【図６】
2006212152.tif 000008
【図７】
2006212152.tif 000009
【図８】
2006212152.tif 000010
【図９】
2006212152.tif 000011